(57)【要約】【課題】  本発明の目的は、複数の電源の電力を複数の供給先へ供給する際に、ユーザが各装置に使用されている電源を認識可能にすることである。【解決手段】  表示制御装置であって、第一の電源からの電力の供給を受付け可能な第一の受付手段と、第一の装置と接続可能であって、前記第一の装置を介して前記第一の電源とは異なる第二の電源から電力の供給を受付け可能な第二の受付手段と、前記表示制御装置が前記第一の受付手段を介して前記第一の電源から電力の供給を受付けており、前記第一の装置が前記第二の電源から電力を受付けている場合には、表示部に前記第二の電源に関する情報を第一の表示形態で表示し、前記表示制御装置と前記第一の装置とが、前記第二の受付手段を介して同一の電源から電力を受付けている場合には、前記表示部に前記情報を前記第二の表示形態で表示するように制御する制御手段とを有することを特徴とする。【選択図】  図３
2018028909.tif 000002
【特許請求の範囲】
【請求項１】
表示制御装置であって、
第一の電源からの電力の供給を受付け可能な第一の受付手段と、
第一の装置と接続可能であって、前記第一の装置を介して前記第一の電源とは異なる第二の電源から電力の供給を受付け可能な第二の受付手段と、
前記表示制御装置が前記第一の受付手段を介して前記第一の電源から電力の供給を受付けており、前記第一の装置が前記第二の電源から電力を受付けている場合には、表示部に前記第二の電源に関する情報を第一の表示形態で表示し、
前記表示制御装置と前記第一の装置とが、前記第二の受付手段を介して同一の電源から電力を受付けている場合には、前記表示部に前記情報を前記第二の表示形態で表示するように制御する制御手段とを有することを特徴とする表示制御装置。
【請求項２】
前記情報の前記第一の表示形態とは、前記第二の電源の電圧と共に前記第一の装置が前記第二の電源と接続していることを示すアイテムの表示をすることであることを特徴とする請求項１に記載の表示制御装置。
【請求項３】
前記情報の前記第二の表示形態とは、前記アイテムを表示せずに前記第二の電源の電圧を表示することであることを特徴とする請求項２に記載の表示制御装置。
【請求項４】
前記第二の受付手段と前記第一の装置は接続可能であり、前記表示制御装置は、前記第一の装置が前記第二の電源から受付けた電力を前記第二の受付手段を介して受付けることを特徴とする請求項１乃至３のいずれか１項に記載の表示制御装置。
【請求項５】
前記制御手段は、前記第一の電源の電圧と、前記第二の電源の電圧とを前記表示部に表示するように制御することを特徴とする請求項１乃至４のいずれか１項に記載の表示制御装置。
【請求項６】
前記第一の電源と前記第二の電源のうち、いずれかをメインの電源として決定する決定手段を有し、
前記制御手段は、前記第一の電源と前記第二の電源のうち、前記決定手段に決定された電源を示すマークをメイン電源の電圧の表示と共に表示するように制御することを特徴とする請求項１乃至５のいずれか１項に記載の表示制御装置。
【請求項７】
前記決定手段は、ＡＣアダプタとバッテリが前記表示制御装置へと電力を供給している場合には、ＡＣアダプタをメイン電源として決定することを特徴とする請求項６に記載の表示制御装置。
【請求項８】
前記第一の電源はＡＣアダプタ、前記第二の電源はバッテリであることを特徴とする請求項１乃至７のいずれか１項に記載の表示制御装置。
【請求項９】
前記第一の装置は記録媒体への記録制御が可能な記録装置であることを特徴とする請求項１乃至８のいずれか１項に記載の表示制御装置。
【請求項１０】
前記表示部には前記第二の電源に関する表示と共にアイテムが表示され、
前記情報を前記第一の表示形態で表示する際の前記アイテムの色は、前記情報を前記第二の表示形態で表示する際の前記アイテムの色とは異なる色であることを特徴とする請求項１に記載の表示制御装置。
【請求項１１】
前記情報の前記第一の表示形態においては、前記第二の電源に関する表示と共に表示されるアイテムが点滅して表示されることを特徴とする請求項１に記載の表示制御装置。
【請求項１２】
前記アイテムは、前記第一の装置を示すアイテムであることを特徴とする請求項２、３、１０、１１のいずれか１項に記載の表示制御装置。
【請求項１３】
前記第一の装置は、前記第二の電源からしか電力の供給を受付けないことを特徴とする請求項１乃至１２のいずれか１項に記載の表示制御装置。
【請求項１４】
表示制御装置であって、
第一の電源からの電力の供給を受付け可能な第一の受付手段と、
第一の装置と接続可能であって、前記第一の装置を介して前記第一の電源とは異なる第二の電源から電力の供給を受付け可能な第二の受付手段と、
前記第一の装置と接続可能であって、前記第一の装置を介して前記第一の電源とも、前記第二の電源とも異なる第三の電源から電力の供給を受付け可能な第三の受付手段と、
前記第一の装置が、前記第二の受付手段を介して前記第一の電源と接続しており、さらに前記第三の受付手段を介して前記第一の電源と接続している際に、
前記表示制御装置が前記第一の受付手段を介して前記第一の電源と接続している場合には、表示部に前記第一の電源に関する情報と、前記第二の電源に関する情報とを示し、前記第三の電源に関する情報を表示せず、
前記表示制御装置が前記第一の受付手段を介して前記第一の電源と接続していない場合には、前記表示部に前記第二の電源に関する情報と、前記第三の電源に関する情報とを示すように制御する制御手段とを有することを特徴とする表示制御装置。
【請求項１５】
前記制御手段は、前記表示制御装置が前記第一の受付手段を介して前記第一の電源から電力の供給を受付けており、前記第一の装置が前記第二の電源から電力を受付けている場合には、前記表示部に前記第二の電源に関する情報を第一の表示形態で表示し、前記表示制御装置と前記第一の装置とが、前記第二の受付手段を介して同一の電源から電力を受付けている場合には、前記表示部に前記情報を前記第二の表示形態で表示するように制御することを特徴とする請求項１４に記載の表示制御装置。
【請求項１６】
前記制御手段は、前記第一の装置が、前記第二の受付手段を介して前記第一の電源と接続しており、さらに前記第三の受付手段を介して前記第一の電源と接続している際に、前記第一の受付手段を介して前記第一の電源と接続している場合には、前記第一の電源をメインの電源として前記表示部に表示し、前記第一の受付手段を介して前記第一の電源と接続していない場合には、前記第二の電源をメインの電源として前記表示部に表示するように制御することを特徴とする請求項１４または１５に記載の表示制御装置。
【請求項１７】
前記第二の受付手段を介して前記第二の電源と接続しており、前記第三の受付手段を介して前記第三の電源と接続している場合には、前記第二の電源がメイン電源となることを特徴とする請求項１４乃至１６のいずれか１項に記載の表示制御装置。
【請求項１８】
前記第一の電源は、ＡＣアダプタであることを特徴とする請求項１４乃至１７のいずれか１項に記載の表示制御装置。
【請求項１９】
前記第二の電源は、ＡＣアダプタであり、前記第三の電源は、バッテリであることを特徴とする請求項１４乃至１８のいずれか１項に記載の表示制御装置。
【請求項２０】
表示制御装置の制御方法であって、
第一の電源からの電力の供給を受付け可能な第一の受付ステップと、
第一の装置と接続し、さらに前記第一の装置を介して前記第一の電源とは異なる第二の電源から電力の供給を受付け可能な第二の受付ステップと、
前記表示制御装置が前記第一の受付ステップにおいて前記第一の電源から電力の供給を受付けており、前記第一の装置が前記第二の電源から電力を受付けている場合には、表示部に前記第二の電源に関する情報を第一の表示形態で表示し、
前記表示制御装置と前記第一の装置とが、同一の電源から電力を受付けている場合には、前記表示部に前記情報を前記第二の表示形態で表示するように制御する制御ステップとを有することを特徴とする表示制御装置の制御方法。
【請求項２１】
表示制御装置の制御方法であって、
第一の電源からの電力の供給を受付け可能な第一の受付ステップと、
第一の装置と接続可能であって、前記第一の装置を介して前記第一の電源とは異なる第二の電源から電力の供給を受付け可能な第二の受付ステップと、
前記第一の装置と接続可能であって、前記第一の装置を介して前記第一の電源とも、前記第二の電源とも異なる第三の電源から電力の供給を受付け可能な第三の受付ステップと、
前記第一の装置が、前記第二の受付ステップにおいて前記第一の電源と接続しており、さらに前記第三の受付ステップにおいて前記第一の電源と接続している際に、
前記表示制御装置が前記第一の受付ステップにおいて前記第一の電源と接続している場合には、表示部に前記第一の電源に関する情報と、前記第二の電源に関する情報とを示し、前記第三の電源に関する情報を表示せず、
前記表示制御装置が前記第一の受付ステップにおいて前記第一の電源と接続していない場合には、前記表示部に前記第二の電源に関する情報と、前記第三の電源に関する情報とを示すように制御する制御ステップとを有することを特徴とする表示制御装置の制御方法。
【請求項２２】
コンピュータを、請求項１乃至１９のいずれか１項に記載された表示制御装置の各手段として機能させるためのプログラム。
【請求項２３】
コンピュータを、請求項１乃至１９のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置およびその制御方法に関し、特にメイン電源とサブ電源の電圧に関する表示をする際の技術に関する。
【背景技術】
【０００２】
従来、メインの電源とサブの電源とを用いて、装置へ電力供給する技術が知られている。特許文献１には、太陽電池システムにおいて使用されているメインの電源の電圧が所定値以下になったらサブの電源に切り替え、サブの電源に切り替わったことをユーザに示すことが開示されている。
【先行技術文献】
【特許文献】
【０００３】
【特許文献１】特開２０１４−７７７１３号公報
【発明の概要】
【発明が解決しようとする課題】
【０００４】
メインの電源とサブの電源とで異なる装置へと電力を供給する場合がある。特許文献１の方法では、太陽電池システム以外の装置への給電も行う場合には、メインの装置となる太陽電池システム以外の装置へはメインの電源とサブの電源のどちらの電源から電力が供給されているか分からない。よって、例えばメインの装置がメインの電源から電力供給をされている場合に、サブの電源が必要なのか否かユーザが分からず、誤って電源を抜いてしまう可能性もある。
【０００５】
本発明は、上記の課題に鑑み、複数の電源の電力を複数の供給先へ供給する際に、ユーザが各装置に使用されている電源を認識可能にすることを目的とする。
【課題を解決するための手段】
【０００６】
上記目的を達成するために、本発明の表示制御装置は、第一の電源からの電力の供給を受付け可能な第一の受付手段と、第一の装置と接続可能であって、前記第一の装置を介して前記第一の電源とは異なる第二の電源から電力の供給を受付け可能な第二の受付手段と、前記表示制御装置が前記第一の受付手段を介して前記第一の電源から電力の供給を受付けており、前記第一の装置が前記第二の電源から電力を受付けている場合には、表示部に前記第二の電源に関する情報を第一の表示形態で表示し、前記表示制御装置と前記第一の装置とが、前記第二の受付手段を介して同一の電源から電力を受付けている場合には、前記表示部に前記情報を前記第二の表示形態で表示するように制御する制御手段とを有することを特徴とする。
【発明の効果】
【０００７】
本発明によれば、複数の電源の電力を複数の供給先へ供給する際に、ユーザが各装置に使用されている電源を認識可能にすることができる。
【図面の簡単な説明】
【０００８】
【図１】本実施形態の構成を適用可能な装置の一例としてのデジタルカメラ及びレコーダの外観図
【図２】本実施形態の構成を適用可能な装置の一例としてのデジタルカメラ及びレコーダの構成例を示すブロック図
【図３】本実施形態における電圧表示処理のフローチャート
【図４】本実施形態におけるデジタルカメラの様子と表示例を示す図
【図５】レコーダにＡＣアダプタを接続可能である場合の本実施形態を適用可能な装置の一例としてのデジタルカメラ及びレコーダの外観図
【図６】レコーダにＡＣアダプタを接続可能である場合の本実施形態における電圧表示処理のフローチャート
【図７】レコーダにＡＣアダプタを接続可能である場合の本実施形態における表示例を示す図
【発明を実施するための形態】
【０００９】
以下、図面を参照して本発明の好適な実施形態を説明する。
【００１０】
図１（ａ）、（ｂ）に本発明を適用可能な表示制御装置の一実施形態としてのデジタルカメラ１００の外観図を示す。表示部２８は画像や各種情報を表示する表示部である。シャッターボタン６１は撮影指示を行うための操作部である。操作部７０はユーザからの各種操作を受け付ける各種スイッチ、ボタン等の操作部材より成る操作部である。電源スイッチ７２は、電源オン、電源オフを切り替えるための押しボタンである。表示部２８は、デジタルカメラ１００の側面に配置される表示部であり、メニュー項目を表示したり、撮像画像を表示したりすることができる。また表示部２８の上下に配置されるボタンは、表示部２８に表示される各アイテムに対応しており、各ボタンの押下により表示部２８上のアイテムが選択可能となる。表示部２８には、電力の供給源や残量等や、撮影に関する設定値等が表示される。ファインダ７６は、デジタルカメラ１００において撮像された画像が表示される電子ビューファインダである。図４（ａ）には表示部２８の一例を示しており、アイテム４１７は記録速度、アイテム４１８は絞り、アイテム４１９はシャッター速度、アイテム４２０はＩＳＯ感度、アイテム４２１は色調整、アイテム４２２はホワイトバランスを示している。不図示の記録媒体７３はメモリカードやハードディスク等の不揮発性の記録媒体であり、デジタルカメラ１００側のＩ／Ｆ１８と接続可能な記録媒体である。外部Ｉ／Ｆ７７には、バッテリや外部レコーダが装着可能であり、電源の入力及び映像信号、音声信号、制御信号の入出力を行うためのインターフェース部材（電力供給や外部入力を受付け可能な部材）である。電源Ｉ／Ｆ７５は、例えばＡＣアダプタが装着可能な電源入力のインターフェース部材である。電源Ｉ／Ｆ７５から入力された電力は、外部Ｉ／Ｆ７７から入力された電力源よりも優先して使用される。図１（ｂ）に示すレコーダ２００はデジタルカメラ１００と、デジタルカメラ１００の外部Ｉ／Ｆ７７とレコーダ２００の外部Ｉ／Ｆ２０６とで接続可能な記録装置である。レコーダ２００には記録媒体Ｉ／Ｆ２０４、記録媒体２０５があり、記録媒体２０５は取り外し可能である。レコーダ２００は、デジタルカメラ１００側の記録媒体よりも容量の大きなデータを記録可能であり、画像に関する処理能力も高い。また、電源Ｉ／Ｆ２０７は、レコーダ２００に供給可能なバッテリを接続するためのＩ／Ｆである。電源Ｉ／Ｆ２０７を介してレコーダ２００に供給された電力は、外部Ｉ／Ｆ２０６を介してデジタルカメラ１００側にも給電される。上述したようにレコーダ２００においては高速な画像処理と記録処理とを行うため、レコーダ２００の消費電力は高くなる。またＲＡＷ画像データを扱う場合にはより高速な記録処理が必要となるので、消費電力は高くなる。よって、ＡＣアダプタがデジタルカメラ１００に給電していたとしても、その電力を、デジタルカメラ１００を介してレコーダ２００に供給してしまうと、デジタルカメラ１００で使用可能な電力が減少し、撮影に影響がある可能性がある。よって、本実施形態においてはデジタルカメラ１００を介したレコーダ２００への電力の供給は行わないが、レコーダ２００を介してデジタルカメラ１００への電力の供給は行う。
【００１１】
図２は、本実施形態によるデジタルカメラ１００の構成例を示すブロック図である。
【００１２】
図２において、レンズ群１０１は撮影レンズ、シャッターを含む。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００１３】
画像処理部２４は、Ａ／Ｄ変換器２３からのデータ、又は、メモリ制御部１５からのデータに対し所定の画素補間、縮小といったリサイズ処理や色変換処理を行う。
【００１４】
Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８やファインダ７６に供給する。こうして、メモリ３２に書き込まれた表示用の画像データはＤ／Ａ変換器１３を介して表示部２８やファインダ７６により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３でアナログ変換し、表示部２８やファインダ７６に逐次転送しスルー画像表示（ライブビュー表示）をすることで、電子ビューファインダとして機能する。
【００１６】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１７】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１８】
システムタイマー５３は各種制御に用いる時間や、内蔵された時計の時間を計測する計時部である。
【００１９】
モード切替スイッチ６０、シャッターボタン６１、操作部７０はシステム制御部５０に各種の動作指示を入力するための操作手段である。
【００２０】
操作部７０の各操作部材は、表示部２８に表示される種々の機能アイテムを選択操作することなどにより、場面ごとに適宜機能が割り当てられ、各種機能ボタンとして作用する。
【００２１】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電力を必要な期間、記録媒体７３を含む各部へ供給する。電源スイッチ７２は、デジタルカメラ１００の伝のＯＮとＯＦＦを切り替えるためのスイッチである。また、電源Ｉ／Ｆは外部のＡＣアダプタと接続するためのインターフェース（接続部）である。また、電源Ｉ／Ｆ７５は外部のＡＣアダプタと接続するためのインターフェース（接続部）である。また、外部Ｉ／Ｆ７７はバッテリやレコーダと接続するためのインターフェースである。外部Ｉ／Ｆ７７にバッテリが接続された場合も、電源Ｉ／Ｆ７５にＡＣアダプタが接続された場合も、電圧測定部７４において電圧をＡＤ変換により測定することができる。測定された電圧は電源制御部８０に伝わり、入力される電圧の制御（メイン電源の決定）がされたり、撮影や記録といった処理に使用されるための電力として各部材へ伝わる。
【００２２】
記録媒体Ｉ／Ｆ１８は、メモリカードやハードディスク等の記録媒体７３とのインターフェースである。記録媒体７３は、撮影時に画像を記録するためのメモリカード等の不揮発性の記録媒体であり、半導体メモリや光ディスク、磁気ディスク等から構成される。高画質の動画や、長時間の動画等の大きな容量の撮影をする場合には記録媒体７３では容量が足りない場合がある。このように大きな容量の記録媒体が必要となる場合には、レコーダを接続して記録をする。
【００２３】
通信部５４は、無線または有線ケーブルによって外部機器やネットワークと接続し、映像信号や音声信号等、電力源の残量に関する情報の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体７３に記録された画像を送信可能であり、また、外部機器から画像データやその他の各種情報を受信することができる。ただし、通信部５４が電力源と通信を行う場合、その電力源がデジタルカメラ１００と対応していないと、通信できない可能性がある。
【００２４】
図２（ｂ）は、デジタルカメラ１００の外部Ｉ／Ｆ７７、電源Ｉ／Ｆ７５とレコーダ２００、ＡＣアダプタの接続例を示したものである。電源Ｉ／Ｆ７５にＡＣアダプタが接続しており、デジタルカメラ１００はＡＣアダプタからの電力供給を優先的に受け付けるので、図２（ｂ）において、デジタルカメラ１００はＡＣアダプタより電力を供給されている。外部Ｉ／Ｆ７７は、レコーダ２００の外部Ｉ／Ｆ２０６と接続しており、外部Ｉ／Ｆ７７を介してデジタルカメラ１００の撮像部２２で撮像された画像データは記録媒体２０５へ記録される。記録媒体２０５の容量はデジタルカメラ１００のＩ／Ｆ１８と接続する記録媒体７３の容量よりも大きい。電源Ｉ／Ｆ２０７はバッテリやＡＣアダプタを装着可能な電源入力のインターフェースであり、ここから入力される電源によってレコーダ２００は動作する。電源Ｉ／Ｆ２０７は電圧変換部を含み、電源Ｉ／Ｆ２０７に装着されたバッテリやＡＣアダプタの電源出力は１６Ｖ等の所定の電圧に変換され、外部Ｉ／Ｆ２０６を通してデジタルカメラ１００（カメラ本体）にも電力が供給される。ただし、デジタルカメラ１００の電力供給源であるＡＣアダプタから、レコーダ２００側へ電力が供給されることはない。電源Ｉ／Ｆと外部Ｉ／Ｆとは、内部バス２５０を通して接続している。
【００２５】
さらに、内部バス２５０に対しては、ＣＰＵ２０２、メモリ２０１、不揮発性メモリ２０３、記録媒体Ｉ／Ｆ２０４、が接続されている。内部バス２５０に接続される各部は、内部バス２５０を介して互いにデータのやりとりを行うことができるようにされている。
【００２６】
メモリ２０１は、例えばＲＡＭ（半導体素子を利用した揮発性のメモリなど）からなる。ＣＰＵ２０２は、例えば不揮発性メモリ２０３に格納されるプログラムに従い、メモリ２０１をワークメモリとして用いて、レコーダ２００の各部を制御する。不揮発性メモリ２０３には、画像データや音声データ、その他のデータ、ＣＰＵ２０２が動作するための各種プログラムなどが格納される。不揮発性メモリ２０３は例えばハードディスク（ＨＤ）やＲＯＭなどで構成される。記憶媒体Ｉ／Ｆ２０４（メディアスロット）は、ＳＳＤ、ＨＤＤといった記録媒体２０５が装着可能とされ、ＣＰＵ２０２の制御に基づき、装着された記録媒体２０５からのデータの読み出しや、記録媒体２０５に対するデータの書き込みを行う。
【００２７】
図３を用いて本実施形態における電圧表示処理について説明をする。この処理は、不揮発性メモリ５６に記録されたプログラムをシステムメモリ５２に展開してシステム制御部５０が実行することで実現する。なお、この処理は、デジタルカメラ１００に電源が入り、表示部２８への表示が可能になると開始する。
【００２８】
Ｓ３０１では、システム制御部５０は、メモリ３２に電圧に関する表示用の初期値を記録する。電圧に関する表示としては、ＡＣアダプタの電圧、バッテリ電圧、メイン電源を示す情報、後述するＣＤＹアイテム表示の有無、バッテリ電圧の残量の割合を示す情報とがある。これらの情報は本実施形態で以下のように示し、初期値は順番に、ＤＣ  ＩＮ電圧＝無効値（０ｘＦＦＦＦ）、ＢＡＴＴ電圧＝無効値（０ｘＦＦＦＦ）、メイン電源、ＣＤＹアイテム表示＝ＦＡＬＳＥ、ＢＡＴＴ  ＩＮＦＯ＝無効値（０ｘＦＦＦＦ）となる。電圧が、無効値（０ｘＦＦＦＦ）とメモリ３２に記録されている場合には、無効であることを示すために、例えば、−．−Ｖのように表示される。また、ＣＤＹアイテム表示＝ＦＡＬＳＥの場合にはＣＤＹアイテムが表示されず、ＴＲＵＥの場合にはＣＤＹアイテムが表示される。メイン電源＝ＡＣアダプタと記録されている場合には、表示部２８にメイン電源がＡＣアダプタであるマーク表示される。ＣＤＹアイテムとは、ＲＡＷ画像データの動画を含め容量の大きなレコーダを示すアイテムである。
【００２９】
Ｓ３０２では、システム制御部５０は、デジタルカメラ１００の電源がＯＦＦにされたか否かを判定する。デジタルカメラ１００の電源は、接続されているＡＣアダプタもしくはバッテリの電圧が切れてしまったこと、電源スイッチ７２がＯＦＦになったことに応じてＯＦＦになる。デジタルカメラ１００の電源がＯＦＦになったと判定した場合は、電圧表示の処理を終了し、そうでない場合には、Ｓ３０３へ進む。
【００３０】
Ｓ３０３では、システム制御部５０は、電源Ｉ／Ｆ７５にＡＣアダプタが接続しているか否かを判定する。電源Ｉ／Ｆ７５にＡＣアダプタが接続していると判定した場合は、Ｓ３０４へ進み、そうでない場合は、Ｓ３０７へ進む。
【００３１】
Ｓ３０４では、システム制御部５０は、メイン電源（主電源）をＡＣアダプタに設定（決定）し、メモリ３２に記録する。
【００３２】
Ｓ３０５では、システム制御部５０は、電源Ｉ／Ｆからの電圧を取得し、ＤＣ  ＩＮ電圧としてメモリ３２に記録する。
【００３３】
Ｓ３０６では、システム制御部５０は、外部Ｉ／Ｆ７７を介した電力供給がされているか否かを判定する。すなわち、外部Ｉ／Ｆ７７にバッテリが接続されているか、または外部Ｉ／Ｆ７７にバッテリが接続されたレコーダが接続されているか、いずれもないか否かを判定する。外部Ｉ／Ｆ７７を介した電力供給がされていると判定した場合は、Ｓ３０９へ進み、そうでない場合は、Ｓ３１０へ進む。
【００３４】
Ｓ３０７では、システム制御部５０は、メイン電源をバッテリに設定し、メモリ３２に記録する。Ｓ３０３においてＮｏと判定されたので、電源Ｉ／Ｆ７５にＡＣアダプタが接続しておらず、接続しているのはバッテリのみ、すなわちメイン電源はバッテリとなる。
【００３５】
Ｓ３０８では、システム制御部５０は、ＤＣ  ＩＮ電圧が無効として、メモリ３２に記録する。すなわち、ＤＣ  ＩＮ電圧＝無効値（０ｘＦＦＦＦ）としてメモリ３２に記録する。
【００３６】
Ｓ３０９では、システム制御部５０は、バッテリ電圧を取得し、ＢＡＴＴ電圧としてメモリ３２に記録する。
【００３７】
Ｓ３１０では、システム制御部５０は、Ｓ３０６においてＮｏと判定された、すなわち外部Ｉ／Ｆ７７を介して電力供給がなくＡＣアダプタによる電力供給でデジタルカメラ１００が起動しているので、バッテリが無効であることをメモリ３２に記録する。つまり、ＢＡＴＴ電圧＝無効値（０ｘＦＦＦＦ）、ＣＤＹアイテム＝ＦＡＬＳＥ、ＢＡＴＴ  ＩＮＦＯ＝無効値（０ｘＦＦＦＦ）とメモリ３２に記録する。
【００３８】
ここで、表示例について説明する。図４はデジタルカメラ１００と電源の関係及び電圧表示の例を示したものである。Ｓ３１０の時の表示について図４（ａ）と（ｄ）を用いて説明する。図４（ａ）は、デジタルカメラ１００の電源Ｉ／Ｆ７５にＡＣアダプタが接続されている状態を示している。この場合、Ｓ３０３においてＹｅｓと判定され、Ｓ３０５でメモリ３２にＤＣ  ＩＮ電圧が記録され（例えば１７．８Ｖ）、さらにＳ３０６においてＮｏと判定されＳ３１０においてバッテリが無効であるとメモリ３２に記録される。よって、後述するＳ３２０においては、図４（ａ）の表示部２８の電圧表示４０１に示すようにＤＣ  ＩＮは１７．８Ｖ、電圧表示４０２に示すようにＢＡＴＴは−．−Ｖと電圧の表示が更新される。また、ＤＣ  ＩＮ（ＡＣアダプタ）とＢＡＴＴ（バッテリ）のうち、メイン電源であるＤＣ  ＩＮの方にアイテム４０３（メイン電源を示すマーク）が表示される。
【００３９】
図４（ｄ）は、デジタルカメラ１００の電源Ｉ／Ｆ７５にＡＣアダプタが接続されており、レコーダも接続されている（バッテリは接続されていない）状態を示している。レコーダが接続されていてもバッテリがレコーダに接続されていないので、更新される表示は図４（ａ）の時と同じである。
【００４０】
Ｓ３１１では、システム制御部５０は、外部Ｉ／Ｆ７７にレコーダが接続しているか否かを判定する。外部Ｉ／Ｆ７７にレコーダが接続していると判定した場合は、Ｓ３１２へ進み、そうでない場合は、Ｓ３１６へ進む。
【００４１】
Ｓ３１２では、システム制御部５０は、バッテリ電圧の残量の割合を％で示すＢＡＴＴ  ＩＮＦＯを無効、ＢＡＴＴ  ＩＮＦＯ＝無効値（０ｘＦＦＦＦ）としてメモリ３２に記録する。バッテリ電圧の残量の割合表示は、バッテリがデジタルカメラ１００と対応しており、通信可能な場合に表示をするので、レコーダを介している場合には表示しない。
【００４２】
Ｓ３１３では、システム制御部５０は、メイン電源がＡＣアダプタであるか否かを判定する。メモリ３２に記録されたメイン電源がＡＣアダプタである場合には、Ｓ３１４へ進み、そうでない場合は、Ｓ３１５へ進む。
【００４３】
Ｓ３１４では、システム制御部５０は、ＣＤＹアイテムを表示するように、メモリ３２にＣＤＹアイテム表示＝ＴＲＵＥと記録する。Ｓ３１３においてＹｅｓであったので、メイン電源がＡＣアダプタ、サブ電源がバッテリであるが、バッテリはレコーダに電力を供給している。よって、メイン電源がいずれかをいうことを示しただけでは、ユーザがバッテリは使用されておらず、バッテリを抜いてもよいと認識してしまう可能性がある。デジタルカメラ１００にとってはサブ電源であるがレコーダ２００はバッテリからしか電力供給がされていないので、バッテリを抜いてしまうと、記録ができなくなってしまう。かといって、サブ電源であるバッテリにメイン電源と同じくアイテム４０３を表示してしまうと、ユーザがバッテリは使用中でありバッテリを抜いてはいけないことは認識できるが、どちらがデジタルカメラ１００のメイン電源か分からなくなってしまう。よって、メイン電源ではないが、レコーダに使用されている電源であることを示すためにＣＤＹのアイテムを表示する。すなわち、デジタルカメラ１００とレコーダ２００とで異なる供給源から給電されている場合には、デジタルカメラ１００側でレコーダ２００が他の供給源からの給電されていることを示す。Ｓ３１４の時の表示について図４（ｆ）を用いて説明する。図４（ｆ）は、デジタルカメラ１００の電源Ｉ／Ｆ７５にＡＣアダプタが接続されており、外部Ｉ／Ｆ７７にはバッテリの接続されたレコーダが接続されている状態を示している。この場合、Ｓ３０３でＹｅｓと判定され、Ｓ３０５でメモリ３２にＤＣ  ＩＮ電圧が記録され（例えば１７．８Ｖ）、さらにＳ３０６でＹｅｓと判定されＳ３０９でメモリ３２にＢＡＴＴ電圧が記録され（例えば１６．８Ｖ）、Ｓ３１１においてＹｅｓと判定された。さらにＳ３１３においてＹｅｓと判定されたので、メイン電源であるＡＣアダプタの他にバッテリがあり、そのバッテリがレコーダへ電力供給していることを示す。よって、後述するＳ３２０においては、図４（ｆ）の表示部２８の電圧表示４１２に示すようにＤＣ  ＩＮは１７．８Ｖ、電圧表示４１３に示すようにＢＡＴＴは１６．８Ｖ、と電圧の表示が更新される。さらに、メイン電源であるＤＣ  ＩＮの方にアイテム４０３が表示され、サブ電源のバッテリ電圧の横にＣＤＹアイテム４２３が表示される。ＣＤＹアイテムはバッテリ電圧を示すＢＡＴＴのすぐ横に表示されるので、ユーザはバッテリ電圧を確認した時に、バッテリ電圧はメイン電源でないが、レコーダへと電力を供給していることが分かる。よって、ユーザはバッテリ電圧を確認した際に、バッテリはレコーダに給電中であり、バッテリを抜いてはいけないことを認識することができる。
【００４４】
Ｓ３１５では、システム制御部５０は、メモリ３２にＣＤＹアイテム表示＝ＦＡＬＳＥと記録する。Ｓ３１５では、Ｓ３１３においてＮｏであったのでメイン電源がバッテリである。すなわち、デジタルカメラ１００はＡＣアダプタからの電力供給を受けておらず、レコーダと同じバッテリから電力供給を受けている。よって、バッテリがデジタルカメラ１００のメイン電源となっており、バッテリがメイン電源であることが表示部２８に表示されているので、バッテリがレコーダの電力供給をしていることを示すＣＤＹアイテムは表示しない。Ｓ３１５の時の表示について図４（ｅ）を用いて説明する。図４（ｅ）は、デジタルカメラ１００の電源Ｉ／Ｆ７５にＡＣアダプタが接続されておらず、外部Ｉ／Ｆ７７にはバッテリの接続されたレコーダが接続されている状態を示している。この場合、Ｓ３０３においてＮｏと判定され、Ｓ３０８でメモリ３２にＤＣ  ＩＮ電圧が無効であることが記録され、Ｓ３０９でメモリ３２にＢＡＴＴ電圧が記録され（例えば１６．８Ｖ）、さらにＳ３１１においてＹｅｓと判定された。さらにＳ３１３においてＮｏと判定されたので、ＡＣアダプタは接続されておらず、バッテリが接続されており、そのバッテリがデジタルカメラ１００とレコーダへ電力供給していることを示す。よって、後述するＳ３２０においては、図４（ｅ）の表示部２８の電圧表示４１０に示すようにＤＣ  ＩＮは−．−Ｖ、電圧表示４１１に示すようにＢＡＴＴは１６．８Ｖ、と電圧の表示が更新される。また、ＢＡＴＴの方にアイテム４０３が表示される。
【００４５】
Ｓ３１６〜Ｓ３２０の処理は、Ｓ３１１においてＮｏと判定された場合の処理であり、外部Ｉ／Ｆ７７にレコーダが接続しておらず、バッテリが直接デジタルカメラ１００に電力を供給している場合の処理である。
【００４６】
Ｓ３１６では、システム制御部５０は、接続中のバッテリとデジタルカメラ１００が通信可能であるか否かを判定する。つまり、外部Ｉ／Ｆ７７を介してシステム制御部５０がバッテリと通信可能であるか否かを判定する。通信可能な場合にはデジタルカメラ１００側の通信部５４が、バッテリ側の不図示の通信部からバッテリ情報を受け取ることができ、バッテリ残量の割合（％）を表示することができる。デジタルカメラ１００では、電力供給されているのでバッテリの電圧の値を測定することはできるが、バッテリから情報を受け取らなければバッテリに充電可能な総電圧が分からないので、残量の割合も分からない。接続中のバッテリと通信部５４が通信可能であると判定した場合は、Ｓ３１７へ進み、そうでない場合は、Ｓ３１８へ進む。
【００４７】
Ｓ３１７では、システム制御部５０は、Ｓ３１６でＹｅｓ、すなわち接続中のバッテリとデジタルカメラ１００が対応しており、バッテリ情報を通信可能であると判定されたので、バッテリの残量の割合をバッテリ側の通信部から受け取り、メモリ３２に記録する。受信したバッテリ残量の割合がα％であるとすると、ＢＡＴＴ  ＩＮＦＯ＝α％とメモリ３２に記録する。Ｓ３１７の時の表示について図４（ｇ）を用いて説明する。図４（ｇ）は、デジタルカメラ１００の電源Ｉ／Ｆ７５にＡＣアダプタが接続されており、外部Ｉ／Ｆ７７にはデジタルカメラ１００と対応するバッテリが接続されている状態を示している。この場合、Ｓ３０３においてＹｅｓと判定され、Ｓ３０５でメモリ３２にＤＣ  ＩＮ電圧が記録され（例えば１７．８Ｖ）、Ｓ３０６においてＹｅｓと判定され、Ｓ３０９においてメモリ３２にＢＡＴＴが記録され（例えば１６．８Ｖ）た。さらにＳ３１１においてＮｏ、Ｓ３１６においてＹｅｓと判定されたので、Ｓ３１７においてメモリ３２にＢＡＴＴ  ＩＮＦＯにバッテリの残量の割合（例えば１００％）が記録される。つまり、図４（ｇ）は、図４（ｃ）のようにバッテリとＡＣアダプタが接続されている状態であり、さらにそのバッテリがデジタルカメラ１００に対応していると判定されたことを示す。よって、後述するＳ３２０においては、図４（ｇ）の表示部２８の電圧表示４１４に示すようにＤＣ  ＩＮは１７．８Ｖ、電圧表示４１５に示すようにＢＡＴＴは１６．８Ｖ、割合表示４１６に示すようにＢＡＴＴ  ＩＮＦＯは１００％と電圧の表示が更新される。ただし、Ｓ３０３においてＮｏと判定された後、Ｓ３１７へ進んだ場合には、ＡＣアダプタの電圧は表示されない。
【００４８】
Ｓ３１８では、システム制御部５０は、Ｓ３１６でＮｏ、すなわち、接続中のバッテリとデジタルカメラ１００が対応していないと判定されたので、バッテリ残量の割合が無効（計測不可能）であることをメモリ３２に記録する。つまり、ＢＡＴＴ  ＩＮＦＯ＝無効値（０ｘＦＦＦＦ）としてメモリ３２に記録する。Ｓ３１８の時の表示について図４（ｂ）と（ｃ）を用いて説明する。図４（ｂ）は、デジタルカメラ１００の電源Ｉ／Ｆ７５にＡＣアダプタが接続されておらず、外部Ｉ／Ｆ７７にはバッテリが接続されている状態を示している。この場合、Ｓ３０３においてＮｏと判定され、Ｓ３０８でメモリ３２にＤＣ  ＩＮ電圧が無効であることが記録され、Ｓ３０９においてメモリ３２にＢＡＴＴが記録され（例えば１６．８Ｖ）た。さらにＳ３１１においてＮｏ、Ｓ３１６においてＮｏと判定されたので、Ｓ３１８においてメモリ３２にＢＡＴＴ  ＩＮＦＯが無効、つまりバッテリの残量の割合が無効であることが記録される。よって、後述するＳ３２０においては、図４（ｂ）の表示部２８の電圧表示４０４に示すようにＤＣ  ＩＮは−．−Ｖ、電圧表示４０５に示すようにＢＡＴＴは１６．８Ｖと電圧の表示が更新される。図４（ｃ）は、デジタルカメラ１００の電源Ｉ／Ｆ７５にＡＣアダプタが接続されており、外部Ｉ／Ｆ７７にはバッテリが接続されている状態を示している。図４（ｂ）はＳ３０３においてＮｏと判定された場合を示しているが、図４（ｃ）においてはＳ３０３における判定がＹｅｓとなった場合を示している。よって、図４（ｂ）の場合とは、ＡＣアダプタの電圧表示がされる点で異なり、後述するＳ３２０においては、図４（ｂ）の表示部２８の電圧表示４０６に示すようにＤＣ  ＩＮは１７．８Ｖと電圧の表示が更新される。また電圧表示４０７に示すようにＢＡＴＴは１６．８と表示される。
【００４９】
Ｓ３１９では、システム制御部５０は、ＣＤＹアイテム表示＝ＦＡＬＳＥとしてメモリ３２に記録する。上述したように、Ｓ３１１においてＮｏと判定されたので、バッテリがデジタルカメラ１００のメイン電源となっているので、バッテリがレコーダに電力供給していることは示さない。
【００５０】
Ｓ３２０では、システム制御部５０は、メモリ３２に記録された表示用のデータをもとに表示部２８の電圧に関する表示を更新する。
【００５１】
以上、説明した実施形態によれば、ユーザは、メイン電源とサブ電源の電力をデジタルカメラ１００とレコーダに供給する際に、各装置に使用されている電源を認識することができる。デジタルカメラ１００側でメイン電源を示すとユーザはデジタルカメラ１００のメイン電源がどれかを認識することができるが、レコーダ側の供給源は分からない。しかし、ＣＤＹアイテム４２３の表示によりユーザはレコーダ側の電力供給源も認識することができる。つまり、デジタルカメラ１００側とレコーダ側とで電力供給源が同じ（同一の電源）であれば、アイテム４０３により同じ供給源で２つの装置が起動していることがわかる。異なる場合には、アイテム４０３によりデジタルカメラ１００のメイン電源が分かり、さらにＣＤＹアイテム４２３によりバッテリはレコーダに使用されていることが分かる。
【００５２】
なお、Ｓ３１３においてＮｏと判定された場合にも、Ｓ３１５でＴＲＵＥとメモリ３２に記録してＣＤＹアイテムを表示し、Ｓ３１３でＹｅｓと判定された場合にはＣＤＹアイコンの色を変えたり、点滅させてもよい。つまり、バッテリがレコーダに電力供給している場合には、いつもＣＤＹアイコンを表示し、バッテリを抜くと記録に影響がある（レコーダがバッテリからしか給電されていない）場合には表示形態を変えてもよい。また、Ｓ３１３においてＹｅｓと判定されたことに応じて、バッテリを抜かないようにユーザに警告を表示するようにしてもよい。
【００５３】
なお、本実施形態では、デジタルカメラ１００にＡＣアダプタが接続されていても、レコーダ２００側には給電しないと説明をしたが、ＡＣアダプタからデジタルカメラ１００を介し、レコーダ２００に給電するようにしてもよい。しかし、上述したようにレコーダ２００の消費電力は大きいので、ＡＣアダプタより給電を受けている場合であってもバッテリから給電を受けている場合には、バッテリからの給電を優先的に受けるようにする。
【００５４】
次に、レコーダ２００にバッテリとＡＣアダプタとが接続可能な場合の電圧表示処理について説明する。図５（ａ）、（ｂ）には、バッテリとＡＣアダプタとからの給電を受け付け可能な場合のレコーダ２００の図を示している。図５（ａ）には、バッテリとＡＣアダプタからの給電を受け付け可能な場合のレコーダ２００の外観図を示しており、図５（ｂ）には、バッテリとＡＣアダプタからの給電を受け付け可能な場合のレコーダ２００のブロック図を示している。図５（ａ）のレコーダ２００と、図１（ｂ）のレコーダ２００とは、電源Ｉ／Ｆ２０８がある点で異なる。図３の処理ではレコーダ２００は、図１（ｂ）に示すように電源Ｉ／Ｆがない場合について説明をしたが、後述の図６においてはレコーダ２００に電源Ｉ／Ｆ２０８が接続可能な場合について説明する。図５（ｂ）にも示すように、電源Ｉ／Ｆ２０８はＡＣアダプタと接続可能であり、電源Ｉ／Ｆ２０７はバッテリと接続可能である。図５（ａ）、（ｂ）は、それぞれ図１（ｂ）、図２（ｂ）に対応しており、電源Ｉ／Ｆ２０８以外の構成については図１（ｂ）、図２（ｂ）と同じである。
【００５５】
図３と図６の処理とは、レコーダ２００にＡＣアダプタが接続可能であるか否かに応じていずれの処理を行うのかが決まる。ただし、レコーダ２００側でＡＣアダプタが接続可能であるか否かに関わらず、図６の電圧表示処理を行ってもよい。その場合、ＡＣアダプタが接続可能でない場合にはＡＣアダプタが接続されていないと判定をする。
【００５６】
図６を用いてレコーダ２００にＡＣアダプタが接続可能な場合の電圧表示処理について説明する。
【００５７】
Ｓ６０１では、システム制御部５０は、メモリ３２に電圧に関する表示用の初期値を記録する。図３のＳ３０１においても初期値を記録したが、図６においては、バッテリ電圧ではなく、ＤＣ  ＩＮ電圧、／ＢＡＴＴ電圧＝無効値（０ｘＦＦＦＦ）として初期値を記録する。つまり、電圧に関する表示として、ＡＣアダプタの電圧、ＡＣアダプタ／バッテリ電圧、メイン電源を示す情報、後述するＣＤＹアイテム表示の有無、バッテリ電圧の残量の割合を示す情報とを記録する。これらの情報は本実施形態で以下のように示し、初期値は順番に、ＤＣ  ＩＮ電圧＝無効値（０ｘＦＦＦＦ）、ＤＣ  ＩＮ電圧、／ＢＡＴＴ電圧＝無効値（０ｘＦＦＦＦ）、メイン電源、ＣＤＹアイテム表示＝ＦＡＬＳＥ、ＢＡＴＴ  ＩＮＦＯ＝無効値（０ｘＦＦＦＦ）となる。
【００５８】
Ｓ６０２では、システム制御部５０は、デジタルカメラ１００の電源がＯＦＦにされたか否かを判定する。デジタルカメラ１００の電源は、接続されているＡＣアダプタもしくはバッテリの電圧が切れてしまったこと、電源スイッチ７２がＯＦＦになったことに応じてＯＦＦになる。デジタルカメラ１００の電源がＯＦＦになったと判定した場合は、電圧表示の処理を終了し、そうでない場合には、Ｓ６０３へ進む。
【００５９】
Ｓ６０３では、システム制御部５０は、カメラ側（デジタルカメラ１００）の電源Ｉ／Ｆ７５にＡＣアダプタが接続しているか否かを判定する。電源Ｉ／Ｆ７５にＡＣアダプタが接続していると判定した場合は、Ｓ６０４へ進み、そうでない場合は、Ｓ６０７へ進む。
【００６０】
Ｓ６０４〜Ｓ６０８の処理は、図３のＳ３０４〜Ｓ３０８の処理と同様の処理である。
【００６１】
Ｓ６０９の処理は、図３のＳ３１０の処理と同様の処理であり、外部Ｉ／Ｆ７７を介して電力供給がなく、電源Ｉ／Ｆ７５を介したＡＣアダプタによる電力供給でデジタルカメラ１００が起動しているので、バッテリが無効であることをメモリ３２に記録する。
【００６２】
Ｓ６１０では、システム制御部５０は、デジタルカメラ１００側の外部Ｉ／Ｆ７７にレコーダが接続しているか否かを判定する。外部Ｉ／Ｆ７７にレコーダが接続していると判定した場合は、Ｓ６１７へ進み、そうでない場合は、Ｓ６１１へ進む。
【００６３】
Ｓ６１１では、システム制御部５０は、デジタルカメラ１００の外部Ｉ／Ｆ７７に接続されるバッテリの電圧をＤＣ  ＩＮ／ＢＡＴＴにＢＡＴＴ電圧としてメモリ３２に記録する。
【００６４】
Ｓ６１２〜Ｓ６１５の処理は、図３のＳ３１６〜Ｓ３１９と同様の処理である。
【００６５】
Ｓ６１６では、システム制御部５０は、メモリ３２に記録された表示用のデータをもとに表示部２８の電圧に関する表示を更新する。
【００６６】
Ｓ６１７では、システム制御部５０は、メイン電源となるのがＡＣアダプタ側であるか否かを判定する。すなわち、デジタルカメラ１００の電源Ｉ／Ｆ７５と、外部Ｉ／Ｆ７７に接続する電源のうち、電源Ｉ／Ｆ７５にＡＣアダプタが接続され、給電されているか否かを判定する。電源Ｉ／Ｆ７５にＡＣアダプタが接続され、給電されていると判定した場合は、Ｓ６１８へ進み、そうでない場合は、Ｓ６２２へ進む。
【００６７】
Ｓ６１８では、システム制御部５０は、レコーダ２００の電源Ｉ／Ｆ２０８にＡＣアダプタが接続し、給電されているか否かを判定する。レコーダ２００にＡＣアダプタが接続していると判定した場合は、Ｓ６１９へ進み、そうでない場合は、Ｓ６２０へ進む。
【００６８】
Ｓ６１９では、システム制御部５０は、電源Ｉ／Ｆ２０８よりＡＣアダプタの電圧を取得し、ＤＣ  ＩＮ／ＢＡＴＴ電圧にＤＣ  ＩＮ電圧としてメモリ３２に記録する。
【００６９】
図７（ｃ）はデジタルカメラ１００、レコーダ２００共にＡＣアダプタが接続されている場合の電圧を示す表示例である。アイテム７０５は、Ｓ６０５において記録されたデジタルカメラ１００の電源Ｉ／Ｆ７５を介して接続されるＡＣアダプタの電圧を示しており、メイン電源であることを示すアイテム７１０が表示される。また、アイテム７０６の示すＡＣアダプタはレコーダ２００に給電されていることを示すアイテム７０９も表示される。アイテム７０６は、Ｓ６１９において記録されたレコーダ２００の電源Ｉ／Ｆ２０７を介して接続されたＡＣアダプタの電圧を示している。
【００７０】
図７（ｄ）はデジタルカメラ１００、レコーダ２００共にＡＣアダプタが接続され、さらにレコーダ２００側にはバッテリも接続された場合の表示例を示している。アイテム７０７は、Ｓ６０５において記録されたデジタルカメラ１００の電源Ｉ／Ｆ７５を介して接続されるＡＣアダプタの電圧を示しており、メイン電源であることを示すアイテム７１０が表示される。また、アイテム７０６の示すＡＣアダプタはレコーダ２００に給電されていることを示すアイテム７０９も表示される。アイテム７０８は、Ｓ６１９において記録されたレコーダ２００の電源Ｉ／Ｆ２０７を介して接続されたＡＣアダプタの電圧を示している。
【００７１】
このように、デジタルカメラ１００にＡＣアダプタが接続されている場合には、レコーダ２００側のＡＣアダプタの電圧が表示され、バッテリ電圧は表示されない。図７（ｄ）に示すようにレコーダ２００にＡＣアダプタもバッテリも接続されている場合には、基本的にはＡＣアダプタがメインとなるので、現在使用していないバッテリの電圧を非表示にする。
【００７２】
デジタルカメラ１００にもレコーダ２００にもＡＣアダプタが接続可能な場合には、最大３つから給電が同時に可能となる。なお、デジタルカメラ１００にバッテリが接続された場合には外部Ｉ／Ｆ７７にレコーダ２００が接続不可になるため最大２つとなる。電圧の表示領域を広くして３つの電圧を表示できるようにしてしまうと、他の表示をするための表示領域が狭くなってしまう。また、ＤＣ  ＩＮの電圧と、ＢＡＴＴの電圧との２つの電圧を表示するようにすると、Ｓ６１９のようにデジタルカメラ１００、レコーダ２００共にＡＣアダプタが接続された場合に、２つの電圧を表示する領域があるのにいずれか一方しか表示されない。そこで、１つ目の電圧はＤＣ  ＩＮとして、２つ目の電圧はＤＣ  ＩＮ／ＢＡＴＴとのいずれか一方の電圧として記録することでＡＣアダプタが２つ接続された場合にも、ＡＣアダプタ１つ、バッテリ１つの場合にも適用可能となる。
【００７３】
Ｓ６２０では、システム制御部５０は、電源Ｉ／Ｆ２０７よりバッテリの電圧を取得し、ＤＣ  ＩＮ／ＢＡＴＴ電圧にＢＡＴＴ電圧としてメモリ３２に記録する。
【００７４】
Ｓ６２１では、システム制御部５０は、ＣＤＹアイテムを表示するように、メモリ３２にＣＤＹアイテム表示＝ＴＲＵＥと記録する。
【００７５】
Ｓ６２２では、システム制御部５０は、レコーダ２００の電源Ｉ／Ｆ２０８にＡＣアダプタが接続し、給電がされているか否かを判定する。レコーダ２００にＡＣアダプタが接続していると判定した場合は、Ｓ６２３へ進み、そうでない場合は、Ｓ６２８へ進む。
【００７６】
Ｓ６２３では、システム制御部５０は、メイン電源＝ＤＣ  ＩＮとしてメモリ３２に記録する。
【００７７】
Ｓ６２４では、システム制御部５０は、電源Ｉ／Ｆ２０８からＡＣアダプタ電圧を取得し、ＤＣ  ＩＮ電圧としてメモリ３２に記録する。
【００７８】
Ｓ６２５では、システム制御部５０は、レコーダ２００の電源Ｉ／Ｆ２０７にバッテリが接続しているか否かを判定する。レコーダ２００にバッテリが接続していると判定した場合には、Ｓ６２６へ進み、そうでない場合は、Ｓ６２７へ進む。
【００７９】
Ｓ６２６では、システム制御部５０は、電源Ｉ／Ｆ２０７よりバッテリ電圧を取得し、ＤＣ  ＩＮ／ＢＡＴＴ電圧にＢＡＴＴ電圧としてメモリ３２に記録する。Ｓ６２４でＤＣ  ＩＮの電圧が記録された後、Ｓ６２７においてＢＡＴＴ電圧が記録された場合には、図７（ｂ）の表示部２８に示すアイテム７０３とアイテム７０４とが表示される。アイテム７０３は、Ｓ６２４においてＤＣ  ＩＮ電圧として記録されたレコーダ２００に接続されているＡＣアダプタの電圧を示しており、Ｓ６２３でメイン電源として記録されたのでメイン電源であるアイテム７１０が表示される。アイテム７０４は、レコーダ２００に接続しているバッテリの電圧を示している。
【００８０】
Ｓ６２７では、システム制御部５０は、ＤＣ  ＩＮ／ＢＡＴＴ電圧を無効値（０ｘＦＦＦＦ）としてメモリ３２に記録する。Ｓ６２４でＤＣ  ＩＮの電圧が記録された後、Ｓ６２７においてＢＡＴＴ電圧が記録された場合には、図７（ａ）の表示部２８に示すアイテム７０１とアイテム７０２とが表示される。アイテム７０１は、Ｓ６２４においてＤＣ  ＩＮ電圧として記録されたレコーダ２００に接続されているＡＣアダプタの電圧を示しており、Ｓ６２３でメイン電源として記録されたのでメイン電源であるアイテム７１０が表示される。アイテム７０２はＢＡＴＴ電圧が無効であることを示している。
【００８１】
Ｓ６２８では、システム制御部５０は、メイン電源＝ＢＡＴＴとしてメモリ３２に記録する。
【００８２】
Ｓ６２９では、システム制御部５０は、電源Ｉ／Ｆ２０７よりＢＡＴＴ電圧を取得し、ＤＣ  ＩＮ／ＢＡＴＴ電圧にＢＡＴＴ電圧としてメモリ３２に記録する。
【００８３】
Ｓ６３０では、システム制御部５０は、ＤＣ  ＩＮ電圧を無効値（０ｘＦＦＦＦ）としてメモリ３２に記録する。
【００８４】
以上、説明した実施形態によれば、表示部の表示スペースを節約することが可能となり、かつ、ユーザが把握すべき電源状態も提示することが可能なものとなっている。デジタルカメラ１００にＡＣアダプタが接続されている場合は、メイン電源としてデジタルカメラ１００に接続されたＡＣアダプタの電圧を表示し、サブ電源としてレコーダに接続されているメイン電源（ＡＣアダプタ、もしくは、バッテリ）の情報を表示する。デジタルカメラ１００にＡＣアダプタが接続されていない場合には、メイン電源にレコーダに接続されているＡＣアダプタの電圧を表示し、サブ電源にレコーダに接続されているバッテリの電圧を表示する。
【００８５】
図７（ｂ）も（ｄ）もレコーダ２００には、ＡＣアダプタとバッテリとが接続されているが、電圧表示は異なる。図７（ｂ）はデジタルカメラ１００にＡＣアダプタが接続されていないため、メイン電源としてレコーダ２００側のＡＣアダプタの電圧を表示する。図７（ｄ）はデジタルカメラ１００にＡＣアダプタが接続されているため、メイン電源をデジタルカメラ１００側のＡＣアダプタとする。このように、レコーダ２００にＡＣアダプタとバッテリとが接続されている場合には、デジタルカメラ１００側にＡＣアダプタが接続されているか否かに応じて表示が異なる。
【００８６】
なお、レコーダ２００側のメイン電源はユーザが選択できるようにしてもよいし、ＡＣアダプタとバッテリが共に接続されている場合には、ＡＣアダプタをメイン電源としてもよい。
【００８７】
なお、システム制御部５０が行うものとして説明した上述の各種の制御は１つのハードウェアが行ってもよいし、複数のハードウェアが処理を分担することで、装置全体の制御を行ってもよい。
【００８８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８９】
また、上述した実施形態においては、本発明をデジタルカメラ１００に適用した場合を例にして説明したが、これはこの例に限定されず、メインとサブの電力源の電圧を表示可能な表示制御装置であれば適用可能である。すなわち、本発明は業務用のカメラ、業務用の画像編集装置、音楽編集装置、携帯電話端末やゲーム機、タブレットＰＣ、デスクトップＰＣ、スマートフォン、投影装置、表示部を有する家電装置等に適用可能である。また、メインとなる装置は上述した装置に適用可能であるが、レコーダに対応する装置としては、記録媒体（レコーダ）だけでなく、画像や音楽の再生装置、表示パネル等がある。例えば、空調設備等においてメインの装置では送風や室内の温度の制御を行っており、メイン以外の装置で外部環境に対する熱量の調整や循環を行っているような場合にも適用可能である。このように、２つの装置が関連する処理を行っており、異なる供給源から電力を供給されるような場合に本実施形態は有効である。
【００９０】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018028909.tif 000003
【図２】
2018028909.tif 000004
【図３】
2018028909.tif 000005
【図４】
2018028909.tif 000006
【図５】
2018028909.tif 000007
【図６】
2018028909.tif 000008
【図７】
2018028909.tif 000009